(57)【要約】【課題】コンタクトの保持力強度を増加することができるコネクタを提供すること。【解決手段】コンタクト１１の接触部１３は、インシュレータ３１のコンタクト収容部３３の一対の側壁面に対向している第１及び第２の側壁部１３ａ，１３ｂと、前記インシュレータ３１のインシュレータランス３５と係合するように第１の側壁部１３ａから延びている係止部１３ｅとを有し、該係止部１３ｅは前記インシュレータランス３５のランス係止部３５ａに対向しており、前記第２の側壁部１３ｂには、前記係止部１３ｅの延在端を受け入れて保持する係止保持部１５ｆを有している。【選択図】      図１
2004281207.tif 000002
【特許請求の範囲】
【請求項１】
導電性のコンタクトと、該コンタクトを組付けたインシュレータとを含み、前記コンタクトは、相手側コネクタの相手側コンタクトと接続する接触部を有し、前記インシュレータは、前記コンタクトを収容するコンタクト収容部と、該コンタクト収容部へ挿入方向で挿入されかつ前記挿入方向とは逆向きの抜去方向へ前記コンタクトが前記インシュレータから外へ抜け出るのを阻止するようインシュレータに係止させるための変位可能なインシュレータランスとを有しているコネクタにおいて、
前記接触部は、前記コンタクト収容部の底壁面に対向している底壁部と、前記コンタクト収容部の一対の側壁面に対向している第１及び第２の壁部と、前記インシュレータランスと前記抜去方向で係合する係止部とを有し、該係止部は、前記第１の側壁部から前記第２の側壁部へ延設されて、前記インシュレータランスの先端のランス係止部に対向しており、前記第２の側壁部には、前記係止部の延在端を受け入れて保持する係止保持部を有していることを特徴とするコネクタ。
【請求項２】
請求項１記載のコネクタにおいて、前記接触部は、前記第２の側壁部から延びて前記係止部に対向している補助係止部を有していることを特徴とするコネクタ。
【請求項３】
請求項１記載のコネクタにおいて、前記コンタクト収容部の上壁面に対向している上壁部を有し、前記接触部は、前記上壁部から延びて前記係止部に対向している補助係止部を有していることを特徴とするコネクタ。
【発明の詳細な説明】
【０００１】
【発明の属する技術分野】
本発明は、インシュレータに組付けたコンタクトの抜け止めとして、インシュレータにインシュレータランスを備えているコネクタに属する。
【０００２】
【従来の技術】
従来のコネクタは、図２７及び図２８に示すように、ハウジング１４４への雌型コンタクト１１０の挿入作業性を向上すると共に、雌型コンタクト１１０を引き抜く方向に荷重が加わる場合の弾性アーム１４８の破損を防止するコネクタがある。
【０００３】
雌型コンタクト１１０の略箱状の接触部１１２の上壁１２８の後端に、上壁１２８の一部を１８０度折り返して突部１３６を形成する。
【０００４】
突部１３６は、接触部１１２の後端側に設けられているので、ハウジング１４４の空洞１４２内への雌型コンタクト１１０の挿入抵抗を減少する。また、突部１３６の形成により、弾性アーム１４８の係合面１４８ａと当接する面積が増大するので、弾性アーム１４８の破損を防止する（例えば、特許文献１参照）。
【０００５】
【特許文献１】
特開平６−２１５８２１号公報（第２−３頁、図１−図４）
【０００６】
【発明が解決しようとする課題】
しかしながら、接触部１１２の上壁１２８の後端に上壁１２８の一部を１８０度折り返した突起１３６にて保持させる構造とした場合には、接触部１１２の高さ寸法が、上壁１２８を１８０度折り曲げた板厚分程度は高さ寸法が大きくなる。
【０００７】
また、上壁１２８の曲げ方向をコネクタ接触の軸方向に曲げた場合は、後方から前方へ上壁１２８を曲げることで弾性アーム１４８との係合面１４８ａはＲ形状となり、雌型コンタクト１１０を引き抜く方向に荷重加えた場合、弾性アーム１４８に加わる荷重位置はＲ部の頂点のみとなり、安定した保持ができない。
【０００８】
さらに、上壁１２８を後方から前方及び左右どちらから一方から曲げた場合、ハウジング１４４への雌型コンタクト１１０挿入時に接触部１１２に曲げにて生じる段差分により、弾性アーム１４８を必要以上に変位させることになるので、過大変位を防止するために空洞１４２が大きくなってしまうという問題がある。
【０００９】
なお、本構造を用いた場合は、弾性アーム１４８のサイズにもより雌型コンタクト１１０を保持できる荷重は変化するが、雌型コンタクト１１０材料の板厚寸法にて保持される構造をもつ雌型コンタクト１１０と変わりなく、雌型コンタクト１１０を保持する限界を超える荷重が加わった場合の弾性アーム１４８の破壊状態は、せん断形状となり、保持力の向上は見込むことは不可能である。
【００１０】
即ち、雌型コンタクト１１０を使用した場合における弾性アーム１４８での保持力は、雌型コンタクト１１０によるせん断破壊であり、弾性アーム１４８の横幅を広げないと保持力の向上が見込めない。
【００１１】
また、保持力を向上させるためには、別部品を用いて雌型コンタクト１１０を保持させる必要があり、別部品を用いて雌型コンタクト１１０を保持させる必要があり、別部品にて保持力向上を図った場合は、従来に比べると製造コストが増加してしまう。
【００１２】
それ故に本発明の課題は、コンタクトの保持力強度を増加することができるコネクタを提供することにある。
【００１３】
【課題を解決するための手段】
本発明によれば、導電性のコンタクトと、該コンタクトを組付けたインシュレータとを含み、前記コンタクトは、相手側コネクタの相手側コンタクトと接続する接触部を有し、前記インシュレータは、前記コンタクトを収容するコンタクト収容部と、該コンタクト収容部へ挿入方向で挿入されかつ前記挿入方向とは逆向きの抜去方向へ前記コンタクトが前記インシュレータから外へ抜け出るのを阻止するようインシュレータに係止させるための変位可能なインシュレータランスとを有しているコネクタにおいて、前記接触部は、前記コンタクト収容部の底壁面に対向している底壁部と、前記コンタクト収容部の一対の側壁面に対向している第１及び第２の接触側壁部と、前記インシュレータランスと前記抜去方向で係合する係止部とを有し、該係止部は、前記第１の接触側壁部から前記第２の側壁部へ延設されて、前記インシュレータランスの先端のランス係止部に対向しており、前記第２の接触側壁部には、前記係止部の延在端を受け入れて保持する係止保持部を有していることを特徴とするコネクタが得られる。
【００１４】
【発明の実施の形態】
以下、本発明に係るコネクタの第１実施の形態例を説明する。図１は、第１実施の形態例におけるコネクタを示している。
【００１５】
図１を参照して、コネクタは、一軸方向に長い寸法の導電性のコンタクト１１と、複数のコンタクト１１を所定間隔をもって保持している略箱形状のインシュレータ３１と、インシュレータ３１に組み合わされる略箱形状のキー部材４１とを有している。
【００１６】
図２乃至図７は、図１におけるコンタクト１１を、図１に示したケーブル５１に接続する前の形態で示している。
【００１７】
図１と共に図２乃至図７を参照して、コンタクト１１は、一軸方向に長い寸法で箱筒形状に形成されている接触部１３と、接触部１３の一側で連結部１５を介して接続されている圧着部１７と、圧着部１７の一側に接続されている保持部１９とを有している。
【００１８】
図３乃至図７に具体的に示すように、接触部１３、連結部１５、圧着部１７及び保持部１９は、これらが共通する一軸方向に長い寸法の接触底部２１ａ，連結底部２１ｂ，圧着底部２１ｃ，保持底部２１ｄ（図４及び図７を参照）を有している。
【００１９】
接触部１３は、接触底部２１ａの一軸方向を直交する接触底部２１ａの一辺から一方向へ略直角に曲げられて延びている第１の接触側壁部１３ａと、接触底部２１ａの一軸方向を直交する接触底部２１ａの、もう一方の一辺から一方向へ略直角に曲げられて延びている第２の接触側壁部１３ｂとを有している。
【００２０】
即ち、第１の接触側壁部１３ａと第２の接触側壁部１３ｂとは、これらが互いに対向している。さらに、第１の接触側壁部１３ａには、その端辺から接触底部２１ａに対向するように略直角に曲げられて第２の接触側壁部１３ｂの端辺上に延びている上壁部１３ｄが接続されている。よって、接触部１３は、接触底部２１ａ、第１の接触側壁部１３ａ、第２の接触側壁部１３ｂ及び上壁部１３ｄによって箱筒形状に作られている。
【００２１】
さらに、図２乃至図４、図６、図８及び図９に示すように、接触部１３は係止部１３ｅを有している。係止部１３ｅは、第１の接触側壁部１３ａの連結部１５側の一辺から一軸方向を直交する方向へ略直角に曲げられて延びている。この係止部１３ｅは、連結部１５側の上壁部１３ｄの端辺に対向している。よって、接触部１３の連結部１５側の開口は、係止部１３ｅによって開口のほとんどが塞がれるような形態となっている。係止部１３ｅの上部は，接触部１３の上壁部１３ｄの高さ寸法と略同じ程度の高さ寸法に位置している。
【００２２】
また、接触部１３の一軸方向における先端側には、上壁部１３ｄから、接触部１３の先端側の開口に向けて略直角に曲げられて延びているガイド部１３ｇが形成されている。接触部１３の内部には、図７に示すように、上壁部１３ｄから曲げられて上壁部１３ｄに対向している接触基部１３ｊの一方端に接続されている接触バネ部１３ｋと、接触基部１３ｊのもう一方端に接続されている補助バネ部１３ｎとが形成されている。
【００２３】
補助バネ部１３ｎの先端部は、接触基部１３ｊと接触バネ部１３ｋの先端との間に位置している。接触バネ部１３ｋには、図１に示した相手側コネクタに設けられている導電性の相手側コンタクト６１に接触する。
【００２４】
連結部１５は、連結底部２１ｂの一軸方向を直交する連結底部２１ｂの一辺から一方向へ略直角に曲げられて延びている第１の連結側壁部１５ａと、連結底部２１ｂの一軸方向を直交する連結底部２１ｂのもう一方の一辺から一方向へ略直角に曲げられて延びている第２の連結側壁部１５ｂとを有している。
【００２５】
第１の連結側壁部１５ａは、第１の接触側壁部１３ａに連結されている。第２の連結側壁部１５ｂは、第２の接触側壁部１３ｂに連結されている。第２の連結側壁部１５ｂ及び第２の接触側壁部１３ｂの連結部分の壁部分には、図３の一部を図１０に拡大して示したように、係止部１３ｅの先端部分が入り込む係止保持部１５ｆが形成されている。係止保持部１５ｆは、第２の連結側壁部１５ｂ及び第２の接触側連結部１３ｂの連結部分の壁部分を上端から溝状の切り欠きけ形状を呈している。
【００２６】
圧着部１７は、圧着底部２１ｃの一軸方向を直交する圧着底部２１ｃの一辺から一方向へ略直角に曲げられて延びている第１の圧着側壁部１７ａと、圧着底部２１ｃの一軸方向を直交する圧着底部２１ｃのもう一方の一辺から一方向へ略直角に曲げられて延びている第２の圧着側壁部１７ｂとを有している。第１の圧着側壁部１７ａは、第１の連結側壁部１５ａに連結されている。第２の圧着側壁部１７ｂは、第２の連結側壁部１５ｂに連結されている。
【００２７】
保持部１９は、保持底部２１ｄの一軸方向を直交する保持底部２１ｄの一辺から一方向へ略直角に曲げられて延びている第１の保持側壁部１９ａと、保持底部２１ｄの一軸方向を直交する保持底部２１ｄのもう一方の一辺から一方向へ略直角に曲げられて延びている第２の保持側壁部１９ｂとを有している。第１の保持側壁部１９ａは、第１の圧着側壁部１７ａに連結されている。第２の保持側壁部１９ｂは、第２の圧着側壁部１７ｂに連結されている。
【００２８】
ところで、コンタクト１１は、図１１に示すように、帯状の薄厚な導電板を連続して打ち抜き加工を施すことによって、複数のコンタクト１１の展開形状を作ることができる。
【００２９】
この際、展開形状のコンタクト１１は、接触部１３が第１のキャリア７１に接続されており、保持部１９が第２のキャリア７３に接続さている状態で、曲げ加工を施すことによって図２に示すコンタクト１１の形態を作る。そして、第１及び第２のキャリア７１，７３から切り離し、圧着部１７の圧着底部２１ｃ上にケーブル５１の芯線５１ａを設置し、ケーブル５１の端部を保持底部２１ｄ上に設置する。その後、ケーブル５１の芯線５１ａを第１及び第２の圧着側壁部１７ａ，１７ｂを曲げ加工することにより圧着し、ケーブル５１の端部を第１及び第２の保持側壁部１９ａ，１９ｂを曲げ加工することにより保持する。
【００３０】
図１に戻り、ケーブル５１及び芯線５１ａを接続したコンタクト１１は、図１に示したインシュレータ３１に形成されている複数のコンタクト収容部３３へ、矢印で示した挿入方向Ａで挿入される。コンタクト収容部３３の中間部分の上壁面には、変位可能な弾性を有するインシュレータランス３５が設けられている。インシュレータランス３５は、根元部分が上壁面に一体に接続されており、挿入方向Ａの前方側へかつコンタクト収容部３３の空間へ傾いて延びている。
【００３１】
コンタクト１１がコンタクト収容部３３へ組付けられた状態では、接触部１３の接触底部１３ａは、コンタクト収容部３３の底壁面に対向し、接触部１３の第１及び第２の接触側壁部１３ａ，１３ｂは、コンタクト収容部３３の側壁面に対向し、接触部１３の上壁部１３ｄは、コンタクト収容部３３の上壁面に対向している。
【００３２】
インシュレータランス３５は、コンタクト収容部３３をコンタクト１１を挿入する際に、コンタクト１１のガイド部１３ｇによって先端部分が押されることによって撓み、そのままコンタクト１１を挿入方向Ａへ挿入していくと、コンタクト収容部３３の所定位置でインシュレータランス３５の先端部に形成されている突起形状のランス係止部３５ａがコンタクト１１の係止部１３ｅを越えたときに、連結部１５の第１及び第２連結壁部１５ａ，１５ｂ間に少し入り込むことによって元の状態に復元する。このとき、ランス係止部３５ａは、コンタクト１１の係止部１３ｅに対向する。なお、インシュレータランス３５に対向する係止部１３ｅは、インシュレータランス３５のランス係止部３５ａよりも広い面となっている。
【００３３】
さらに、ランス係止部３５ａがコンタクト１１の係止部１３ｅに対向した後、キー部材４１のキー部４１ａを、インシュレータランス３５と内壁面との間に挿入することによって、インシュレータランス３５の揺動を規制する。この状態で、ケーブル５１を挿入方向Ａとは逆向きの抜去方向Ｂへ引き抜こうとしても、通常は引き抜くことができない。よって、インシュレータランス３５とキー部材４１は、コンタクト１１がインシュレータ３１の外へ抜けるのを防止する。
【００３４】
図１２に示すように、コンタクト１１は、コネクタが固定されている状態で、抜去方向Ｂへ大きな引張り力が加わると、引張られた方向へコンタクト収容部３３の中を移動し、係止部１３ｅがインシュレータランス３５のランス係止部３５ａに当っても、インシュレータランス３５の根元に荷重が集中するため、インシュレータランス３５の根元部分が座屈して破壊する作用がある。
【００３５】
図１３乃至図１９は、本発明に係るコネクタに用いるコンタクトの第２実施の形態例を示している。なお、第１実施の形態例において説明したコンタクト１１と同じ部分には、同じ符号を付して説明を省略する。
【００３６】
第２実施の形態例におけるコンタクト１１では、第２の接触側壁部１３ｂの連結部１５側に、係止部１３ｅに当接するように第２の接触側壁部１３ｂ略直角に曲げられている補助係止部１３ｐが形成されている。
【００３７】
図２０乃至図２６は、本発明に係るコネクタに用いるコンタクトの第３実施の形態例を示している。なお、第１実施の形態例において説明したコンタクト１１と同じ部分には、同じ符号を付して説明を省略する。
【００３８】
第３実施の形態例におけるコンタクト１１では、上壁部１３ｂの連結部１５側に、係止部１３ｅに当接するように上壁部１３ｄから略直角に曲げられている補助係止部１３ｒが形成されている。
【００３９】
補助係止部１３ｐ及び補助係止部１３ｒは、いずれも係止部１３ｅがランス係止部３５ａが突き当たり、押されて荷重が加わったときに、大きな荷重を受けるための補助の役目を果たす。
【００４０】
【発明の効果】
以上、実施の形態例によって説明したように、本発明に係るコネクタによれば、コンタクトの接触部側に形成した係止部に抜去方向でインシュレータランスが当接し荷重が加えられたときに、インシュレータランスの根元部分を屈曲させることで、コンタクトの保持力の強度を増加することができる。
【００４１】
また、コンタクトの保持力を増加させるには、接触部と同じ材料から係止部の形状を予め見込んだ展開長からコンタクト形状を形成する段階で、インシュレータランスのランス係止部の面積よりも大きく拡大した係止部を構成することにより、インシュレータランスの先端付近に設けられたランス係止部に加わる荷重を面全体に分散させ、荷重をインシュレータランスの根元面積に集中させることにより可能となる。
【００４２】
また、コネクタは別体の部品を用いないので、製品全体の部品点数が従来のコネクタと同じでよいため製造コストを低減できる。
【図面の簡単な説明】
【図１】本発明に係るコネクタの一実施の形態例を示す断面図である。
【図２】図１に示したコンタクトのケーブルを接続前の形態を示す正面図である。
【図３】図２に示したコンタクトの背面図である。
【図４】図２に示したコンタクトの平面図である。
【図５】図２に示したコンタクトを左側から見た左側面図である。
【図６】図２に示したコンタクトを右側から見た右側面図である。
【図７】図４に示したコンタクトのＶＩＩ−ＶＩＩ線に沿った断面図である。
【図８】図２に示したコンタクトのＶＩＩＩ−ＶＩＩＩ線に沿った断面を拡大して示した断面図である。
【図９】図４に示したコンタクトのＩＸ−ＩＸ線に沿った断面を拡大して示した断面図である。
【図１０】図１に示した係止保持部を拡大して示した正面図である。
【図１１】図４に示したコンタクトの展開形状をキャリアとともに示した平面図である。
【図１２】図１に示したコネクタにおけるハウジングランスの破壊状態を示した断面図である。
【図１３】本発明の第２実施の形態例を示しており、ケーブルを接続する前のコンタクトの形態を示す側面図である。
【図１４】図１３に示したコンタクトの背面図である。
【図１５】図１３に示したコンタクトの平面図である。
【図１６】図１３に示したコンタクトを左側から見た左側面図である。
【図１７】図１３に示したコンタクトを右側から見た右側面図である。
【図１８】図１５に示したコンタクトのＸＩＩＸ−ＸＩＩＸ線に沿った断面図である。
【図１９】図１３に示したコンタクトのＸＩＸ−ＸＩＸ線に沿った断面図である。
【図２０】本発明の第３実施の形態例を示しており、ケーブルを接続する前のコンタクトの形態を示した正面図である。
【図２１】図２０に示したコンタクトの背面図である。
【図２２】図２０に示したコンタクトの平面図である。
【図２３】図２０に示したコンタクトを左側から見た左側面図である。
【図２４】図２０に示したコンタクトを右側から見た右側面図である。
【図２５】図２２に示したコンタクトのＸＸＶ−ＸＸＶ線に沿った断面図である。
【図２６】図２０に示したコンタクトのＸＸＶＩ−ＸＸＶＩ線に沿った断面図である。
【図２７】従来のコネクタの断面図である。
【図２８】図２７に示したコネクタのコンタクトを一部断面して示した側面図である。
【符号の説明】
１１    コンタクト
１３    接触部
１３ａ    第１の接触側壁部
１３ｂ    第２の接触側壁部
１３ｄ    上壁部
１３ｅ    係止部
１３ｋ    接触バネ部
１３ｎ    補助バネ部
１３ｐ    補助係止部
１３ｒ    補助係止部
１５    連結部
１５ｆ    係止保持部
１７    圧着部
１９    保持部
２１ａ    接触底部
２１ｂ    連結底部
２１ｃ    圧着底部
２１ｄ    保持底部
３１    インシュレータ
３３    コンタクト収容部
３５    インシュレータランス
３５ａ    ランス係止部
４１    キー部材
５１    ケーブル
６１    相手側コンタクト
【図１】
2004281207.tif 000003
【図２】
2004281207.tif 000004
【図３】
2004281207.tif 000005
【図４】
2004281207.tif 000006
【図５】
2004281207.tif 000007
【図６】
2004281207.tif 000008
【図７】
2004281207.tif 000009
【図８】
2004281207.tif 000010
【図９】
2004281207.tif 000011
【図１０】
2004281207.tif 000012
【図１１】
2004281207.tif 000013
【図１２】
2004281207.tif 000014
【図１３】
2004281207.tif 000015
【図１４】
2004281207.tif 000016
【図１５】
2004281207.tif 000017
【図１６】
2004281207.tif 000018
【図１７】
2004281207.tif 000019
【図１８】
2004281207.tif 000020
【図１９】
2004281207.tif 000021
【図２０】
2004281207.tif 000022
【図２１】
2004281207.tif 000023
【図２２】
2004281207.tif 000024
【図２３】
2004281207.tif 000025
【図２４】
2004281207.tif 000026
【図２５】
2004281207.tif 000027
【図２６】
2004281207.tif 000028
【図２７】
2004281207.tif 000029
【図２８】
2004281207.tif 000030